(57)【要約】【課題】排尿準備を短時間におこなうことを可能にしたズボン下を提供すること。【解決手段】  本考案に係るズボン下１ａは、所定の布地３ａにより、下半身部分や太もも部分の前後を覆う身ごろ部分５ａと、排尿時に使用する前開き部分７ａとから形成されるステテコや股引のようなズボンの下に着用するズボン下において、前記前開き部分７ａを、長さＬａが１０〜２０センチメートルにわたって、幅Ｄａが２センチメートル以下の開口形状に形成される。このズボン下１によれば、前記前開き部分７ａが当初から開いた状態なので、排尿準備が短時間に完了できる。【選択図】      図３
0003110130.tif 000002
【実用新案登録請求の範囲】
【請求項１】
所定の布地により、下半身部分や太もも部分の前後を覆う身ごろ部分と、排尿時に使用する前開き部分とから形成されるステテコや股引のようなズボンの下に着用するズボン下において、
前記前開き部分を、所定の長さにわたって幅１センチメートル以下に重ね合わせた形状から所定の長さにわたって幅２センチメートル以下の開口形状までの間の形状に形成されることを特徴とするズボン下。
【請求項２】
前記所定の長さは、１０センチメートル〜２０センチメートルであることを特徴とする請求項１記載のズボン下。
【考案の詳細な説明】
【技術分野】
【０００１】
本考案は、男性用下着に関し、さらに詳しくは、ズボンの下に着用するステテコや股引のようなズボンの下に着用するズボン下であって、素早く排尿準備ができるようにしたズボン下に関するものである。
【背景技術】
【０００２】
この種のズボン下は、ズボンの下に着用するステテコや股引のような男性用下着として知られている。かかるズボン下は、所定の布地（例えばメリヤス織布地）により、下半身部分や太もも部分の前後を覆う身ごろ部分を形成するとともに、排尿時に使用する前合わせ部分（前開き部分）を形成してるものが一般的である（特許文献１参照）。
このようなズボン下によれば、ズボンの汚れることを防止し、また、冬などには防寒対策に用いられる。
【特許文献１】登録実用新案第３０５３２０２号
【考案の開示】
【考案が解決しようとする課題】
【０００３】
しかしながら、上述した従来のズボン下によれば、前合わせ部分（前開き部分）が大きく重なり合っているため、排尿の準備に時間がかかり、例えば、体の不自由な老人などが、排尿準備に時間がかかり漏らしてしまうことがあった。
本考案は、上述した事情に鑑みてなされたもので、排尿準備を短時間におこなうことを可能にしたズボン下を提供することを目的とする。
【課題を解決するための手段】
【０００４】
上記目的を達成するために、本考案は、所定の布地により、下半身部分や太もも部分の前後を覆う身ごろ部分と、排尿時に使用する前開き部分とから形成されるステテコや股引のようなズボンの下に着用するズボン下において、前記前開き部分を、所定の長さにわたって幅１センチメートル以下に重ね合わせた形状から所定の長さにわたって幅２センチメートル以下の開口形状までの間の形状に形成されることを特徴とする。
本考案によれば、前開き部分が少し重なり合っている形状から数センチメートルの開口の形状までの間の形状に形成してあることから、排尿準備する際に、簡単に取り出すことができるので、排尿準備を短時間で終了させることが可能となる。
ここで、前記所定の長さとは、１０センチメートル〜２０センチメートルであることを特徴とする。
【考案の効果】
【０００５】
本考案によれば、前開き部分が少し重なり合う状態から数センチメートルの開口形状までの間の形状に形成してあるので、短時間に排尿準備が可能であり、排尿準備に時間がかかり漏らすなどを完全に防止できる。
【考案を実施するための最良の形態】
【０００６】
以下、本考案を実施するための最良の形態について図面を参照して説明する。
〔第１の実施の形態〕
図１は、本考案の第１の実施の形態に係るズボン下を示す正面図である。図２は、本考案の第１の実施の形態に係るズボン下を示す背面図である。
本考案の第１の実施の形態に係るズボン下１は、図１及び図２に示すように、所定の布地（例えば、メリヤス織布地）３により、下半身部分や太もも部分の前後を覆う身ごろ部分５が形成されており、かつ、排尿時に使用する前開き部分７を所定の長さＬ（例えば１０センチメートル〜２０センチメートル程度）にわたって、所定の幅Ｄ（例えば１センチメートル程度）に重ね合わせた形状に形成されるものである。
【０００７】
ズボン下１は、その裏側に、図２に示すような略Ｗ字形状に、まち部分９が形成されている。まち部分９とは、ズボン下１にゆとりをもたせるために補う布のことである。
ズボン下１は、その下半身を覆う側の上端部にゴム部分１１が形成されている。
このようなズボン下１によれば、排尿の準備をするときに、前開き部分７が約１センチメートル重なっているのみであり、着用状態では前開き部分７が少し開いた状態になることから、前開き部分７を押し広げるなどの排尿準備が簡単であり、排尿準備が短時間に完了できる。
【０００８】
〔第２の実施の形態〕
図３は、本考案の第２の実施の形態に係るズボン下を示す正面図である。図４は、本考案の第２の実施の形態に係るズボン下を示す背面図である。
本考案の第２の実施の形態に係るズボン下１ａは、図３及び図４に示すように、所定の布地（例えば、メリヤス織布地）３ａにより、下半身部分や太もも部分の前後を覆う身ごろ部分５ａが形成されており、かつ、排尿時に使用する前開き部分７ａを所定の長さ（例えば１０センチメートル〜２０センチメートル）にわたって、所定の幅Ｄａ（例えば、２センチメートル程度）に開口させた形状に形成されるものである。
【０００９】
ズボン下１ａは、その裏側に、図４に示すような略Ｗ字形状に、まち部分９ａが形成されている。まち部分９ａとは、ズボン下１ａにゆとりをもたせるために補う布のことである。
ズボン下１ａは、その下半身を覆う側の上端部にゴム部分１１ａが形成されている。
また、前開き部分７ａを所定の長さ（例えば１０センチメートル〜２０センチメートル）にわたって、幅２センチメートル程度に開口させた形状は、股合わせ部分１３ａ側に例えば所定の長さの当て布１５ａと、上側のゴム部分１１ａの側に所定の長さの当て布１７ａを当てて縫い合わせることにより形成すればよい。
【００１０】
このようなズボン下１ａによれば、排尿の準備をするときに、前開き部分７ａが図３に示すように所定の長さＬａ（例えば１０センチメートル〜２０センチメートル程度）にわたって、幅Ｄａが約２センチメートル程度開口しているのみであり、着用状態では前開き部分７ａがかなり開いた状態になることから、前開き部分７ａを押し広げるなどの排尿準備が簡単であり、排尿準備が短時間に完了できる。
【００１１】
〔第３の実施の形態〕
図５は、本考案の第３の実施の形態に係るズボン下を示す正面図である。
本考案の第３の実施の形態に係るズボン下１ｂは、図５に示すように、所定の布地（例えば、メリヤス織布地）３ｂにより、下半身部分や太もも部分の前後を覆う身ごろ部分５ｂが形成されており、かつ、排尿時に使用する前開き部分７ｂを所定の長さＬｂ（例えば１０センチメートル〜２０センチメートル程度）にわたって、所定の幅Ｄｂ（例えば０．５センチメートル程度）に開口させた形状に形成されるものである。
ズボン下１ｂの裏側には、図示しないが、第１の実施の形態や第２の実施の形態と同じような、まち部分が形成されている。
【００１２】
ズボン下１ｂは、その下半身を覆う側の上端部にゴム部分１１ｂが形成されている。
また、前開き部分７ｂを所定の長さ（例えば１０センチメートル〜２０センチメートル程度）にわたって、所定の幅Ｄｂ（例えば０．５センチメートル程度）に開口させた形状は、股合わせ部分１３ｂの側に例えば所定の長さの当て布１５ｂと、上側のゴム部分１１ｂの側に所定の長さの当て布１７ｂを当てて縫い合わせることにより形成すればよい。
【００１３】
このようなズボン下１ｂによれば、排尿の準備をするときに、前開き部分７ｂが図３に示すように所定の長さＬａ（例えば１０センチメートル〜２０センチメートル）にわたって、約０．５センチメートル開口しており、着用状態では前開き部分７ｂが第１の実施の形態よりさらに大きく開いた状態になることから、前開き部分７ａを押し広げるなどの排尿準備が簡単であり、排尿準備が短時間に完了できる。
【００１４】
〔その他実施の形態〕
本考案のその他の実施の形態に係るズボン下では、要するに、前合わせ部分が１センチメートル以下程度に重ね合わさった形状から、前開き部分が２センチメートル以下に開口した形状までのうちであれば、どのような形状であってもよい。
【００１５】
このようなズボン下によれば、排尿の準備をするときに、前開き部分の所定の長さ（例えば１０センチメートル〜２０センチメートル）にわたって、例えば１センチメートル程度以下に重なった形状から、２センチメートル以下の開口に形成された形状までの間の形状に形成されているので、着用状態では前開き部分が当初から少し開いた状態から大きく開いた状態になっていることから、前開き部分を押し広げるなどの排尿準備が簡単であり、排尿準備が短時間に完了できる。
【００１６】
なお、本考案の実施の形態に係るズボン下を着用すると、このズボン下の前開き部分が少し開いた状態や相当開いた状態になっていても、肌には、さらに下着を着用しているため、露出するなどの心配がない。
また、上記第２の実施の形態や、第３の実施の形態では、前開き部分７ａ，７ｂの開口を形成するために、当て布（１５ａ，１７ａ、１５ｂ，１７ｂ）を当てて形成したが、身ごろ部分５ａ，５ｂの前開き部分７ａ，７ｂに相当する部分の布地を、上記第２の実施の形態や、第３の実施の形態のような所定の長さＬ、かつ所定の幅Ｄの開口部が形成されるように切り欠いて（裁断して）形成するようにしてもよい。
【図面の簡単な説明】
【００１７】
【図１】本考案の第１の実施の形態に係るズボン下を示す正面図である。
【図２】本考案の第１の実施の形態に係るズボン下を示す背面図である。
【図３】本考案の第２の実施の形態に係るズボン下を示す正面図である。
【図４】本考案の第２の実施の形態に係るズボン下を示す背面図である。
【図５】本考案の第３の実施の形態に係るズボン下を示す正面図である。
【符号の説明】
【００１８】
１，１ａ，１ｂ  ズボン下
３，３ａ，３ｂ  布地
５，５ａ，５ｂ  身ごろ部分
７，７ａ，７ｂ  前開き部分
９，９ａ  まち部分
１１，１１ａ，１１ｂ  ゴム部分
１３ａ，１３ｂ  股合わせ部分
１５ａ，１５ｂ  当て布
１７ａ，１７ｂ  当て布
【図１】
0003110130.tif 000003
【図２】
0003110130.tif 000004
【図３】
0003110130.tif 000005
【図４】
0003110130.tif 000006
【図５】
0003110130.tif 000007